(57)【特許請求の範囲】
【請求項１】
無線送受信ユニット（ＷＴＲＵ）によって実行され、トラフィック量測定（ＴＶＭ）情報を報告する方法であって、
バッファ内に拡張されたアップリンク（ＥＵ）データを記憶するステップと、
前記ＷＴＲＵが送信するＥＵデータを有することを示す初期ＴＶＭ情報要求メッセージを送信するステップと、
前記バッファに記憶された前記ＥＵデータの少なくとも一部を、詳細なＴＶＭ情報と多重化するステップであって、前記詳細なＴＶＭ情報は、関連優先度を有する論理チャネルの指示、および、前記論理チャネルに関連する前記バッファに記憶されたＥＵデータの量を含み、前記バッファに記憶された前記ＥＵデータの少なくとも一部は、媒体アクセス制御（ＭＡＣ）レイヤにおける前記詳細なＴＶＭ情報と多重化される、ステップと、
前記多重化された少なくとも一部の前記ＥＵデータ、および、前記詳細なＴＶＭ情報を送信するステップと
を含むことを特徴とする方法。
【請求項２】
前記記憶されたＥＵデータの量が設定された閾値を超えた後にのみ、前記初期ＴＶＭ情報要求メッセージを送信するステップをさらに含むことを特徴とする請求項１に記載の方法。
【請求項３】
設定された閾値が超えないという条件で、ノードＢからのＥＵデータスケジューリングメッセージを要求することなく、前記記憶されたＥＵデータを送信するステップをさらに含むことを特徴とする請求項１に記載の方法。
【請求項４】
前記設定された閾値がゼロであるという条件で、前記ＥＵデータスケジューリングメッセージを受信した後にのみ、前記記憶されたＥＵデータを送信するステップをさらに含むことを特徴とする請求項２に記載の方法。
【請求項５】
前記初期ＴＶＭ情報要求メッセージは詳細なＴＶＭ情報を含むことを特徴とする請求項１に記載の方法。
【請求項６】
前記詳細なＴＶＭ情報はさらに、ＥＵデータの総量の指示を含むことを特徴とする請求項１に記載の方法。
【請求項７】
ＥＵデータの総量の指示は、複数の論理チャネルのためのデータであることを特徴とする請求項６に記載の方法。
【請求項８】
前記関連優先度は最も優先度が高いことを特徴とする請求項１に記載の方法。
【請求項９】
無線送受信ユニット（ＷＴＲＵ）であって、
バッファ内に拡張されたアップリンク（ＥＵ）データを記憶するように構成された回路と、
前記ＷＴＲＵが送信するＥＵデータを有することを示す初期トラフィック量測定（ＴＶＭ）情報要求メッセージを送信するように構成された回路と、
ＥＵデータスケジューリングメッセージを受信するように構成された回路と、
前記バッファに記憶された前記ＥＵデータの少なくとも一部を、詳細なＴＶＭ情報と多重化するように構成された回路であって、前記詳細なＴＶＭ情報は、関連優先度を有する論理チャネルの指示、および、前記論理チャネルに関連する前記バッファに記憶されたＥＵデータの量を含み、前記バッファに記憶された前記ＥＵデータの少なくとも一部は、媒体アクセス制御（ＭＡＣ）レイヤにおける前記詳細なＴＶＭ情報と多重化される、回路と、
前記多重化された少なくとも一部の前記ＥＵデータ、および、前記詳細なＴＶＭ情報を送信するように構成された回路と
を含むことを特徴とするＷＴＲＵ。
【請求項１０】
前記初期ＴＶＭ情報要求メッセージは、前記記憶されたＥＵデータの量が設定された閾値を超えた後にのみ送信されることを特徴とする請求項９に記載のＷＴＲＵ。
【請求項１１】
前記記憶されたＥＵデータは、設定された閾値が超えないという条件で、ノードＢからのＥＵデータスケジューリングメッセージを要求することなく送信されることを特徴とする請求項９に記載のＷＴＲＵ。
【請求項１２】
前記記憶されたＥＵデータは、前記設定された閾値がゼロであるという条件で、前記ＥＵデータスケジューリングメッセージを受信した後にのみ送信されることを特徴とする請求項１０に記載のＷＴＲＵ。
【請求項１３】
前記初期ＴＶＭ情報要求メッセージは詳細なＴＶＭ情報を含むことを特徴とする請求項９に記載のＷＴＲＵ。
【請求項１４】
前記詳細なＴＶＭ情報はさらに、ＥＵデータの総量の指示を含むことを特徴とする請求項９に記載のＷＴＲＵ。
【請求項１５】
ＥＵデータの総量の指示は、複数の論理チャネルのためのデータであることを特徴とする請求項１４に記載のＷＴＲＵ。
【請求項１６】
前記関連優先度は最も優先度が高いことを特徴とする請求項９に記載のＷＴＲＵ。
【発明の詳細な説明】
【技術分野】
【０００１】
本発明は、ＷＴＲＵ（無線送受信ユニット：Wireless Transmit/Receive Unit）およびノード−Ｂを含む、無線通信システムに関する。より詳細には、本発明は、限られた容量を有するシグナリングチャネル上での、ＷＴＲＵおよびノード−Ｂの間のＥＵ（拡張されたアップリンク：Enhanced Uplink）データ送信を支援するために、ＥＵのＴＶＭ（トラフィック量測定：Traffic Volume Measurement）情報を報告することに関する。
【背景技術】
【０００２】
ＦＤＤ（周波数分割複信：Frequency Division Duplex）などの無線通信システムにおける、ＵＬ（アップリンク：UpLink）カバレッジ、スループット、および送信待ち時間を拡張する方法が、３ＧＰＰ（third Generation Partnership Project）のＲ６（６版：Release 6）にて現在、検討されている。ＲＮＣ（無線ネットワーク制御装置：Radio Network Controller）でアップリンクの物理チャネルをスケジューリングし、割り当てる代わりに、ＲＮＣがシステムの全体的な制御を維持していても、ＲＮＣより効率的な決定をさせることができ、短期的にはアップリンクの無線リソースをより良く管理できるように、ノード−Ｂ（すなわち、基地局）制御装置は使用される。同様の手法は、ＦＤＤモードおよびＴＤＤ（時分割複信：Time Division Duplex）モードの両方のための、ＵＭＴＳ（統合無線通信システム：Universal Mobile Telecommunications System）における、ＨＳＤＰＡ（高速データ・パケットアクセス：High Speed Data Packet Access）のＲ５（５版：Release 6）のためのダウンリンクにおいて既に適用されている。
【発明の概要】
【発明が解決しようとする課題】
【０００３】
ノード−Ｂに効率的な割り当て決定をさせ、異なる優先度フローの間で優先付けるために、ノード−Ｂは、関連付けられた優先度に沿ってＴＶＭの情報を把握しなければならない。しかしながら、従来のＵＬのシグナリング方式は、容量が限られ、したがって、関連付けられた優先度に沿ってＴＶＭの報告に対応できない場合がある。
【課題を解決するための手段】
【０００４】
本発明は、ＷＴＲＵ（すなわち移動局）およびノード−Ｂの間のＥＵデータ送信を支援するためにＥＵ  ＴＶＭ情報を報告する無線通信の方法および装置である。本装置は、無線通信システム、ＷＴＲＵ、および／またはＩＣ（集積回路：Integrated Circuit）であってよい。ＥＵデータは、生成され、ＷＴＲＵのバッファに格納される。ＷＴＲＵは、ノード−Ｂに転送するべきＥＵデータをＷＴＲＵが有することを示す初期ＴＶＭ情報要求メッセージを、ノード−Ｂに送信する。その初期ＴＶＭ情報要求メッセージの受信に応答して、ノード−Ｂは、ＥＵデータのスケジューリングメッセージをＷＴＲＵに送信することによって、ＷＴＲＵおよびノード−Ｂの間の１つまたは複数の許可されたＥＵデータをスケジューリングする。
【０００５】
許可されたＥＵデータ送信が、バッファに格納されているすべてのＥＵデータの送信を支援するのに十分ならば、ＷＴＲＵは、バッファに格納されているすべてのＥＵデータをノード−Ｂに送る。そうでなければ、ＷＴＲＵはＥＵデータの少なくとも一部と多重化された詳細なＴＶＭ情報をノード−Ｂに送ることができる。
【０００６】
ＴＶＭ情報は、格納されたＥＵデータの量を示すことができる。詳細なＴＶＭ情報は、複数のトラフィック優先度クラスのそれぞれに関連付けられたバッファされたＥＵデータの量を示すことができる。詳細なＴＶＭ情報は、レイヤ２のＭＡＣ（媒体アクセス制御：Medium Access Control）のエンティティにおいて、またはレイヤ３のＲＲＣ（無線リソース管理：Radio Resource Control）、あるいは他の同等なレイヤ３のシグナリングエンティティにおいて多重化することができる。
【０００７】
ＷＴＲＵのバッファに格納されているＥＵデータを送るために使用される手順は、ＥＵデータの量が設定された閾値を超えるか否かに依存することができる。初期ＴＶＭ情報要求メッセージは、格納されているＥＵデータの量が設定された閾値を超えた後にのみ、ノード−Ｂに送信することができる。設定された閾値を超えない場合、ＷＴＲＵは、ノード−Ｂからのスケジューリングの情報を要求することなく、すべてのＥＵデータをＷＴＲＵのバッファからノード−Ｂに送ることができる。設定された閾値がゼロにセットされている場合には、ＷＴＲＵは、ノード−Ｂからのスケジューリングの情報を受信した後にのみ、ＷＴＲＵのバッファから格納されているＥＵデータをノード−Ｂに送ることができる。
【図面の簡単な説明】
【０００８】
【図１】本発明によって動作する無線通信システムを示す。
【図２】ＷＴＲＵ中にバッファされているすべてのＥＵデータを送信するのに、２回以上のＥＵ送信が必要である場合の、図１のシステムの信号フロー図である。
【図３】ＷＴＲＵ中にバッファされているすべてのＥＵデータを送信するのに、１回のみのＥＵ送信が必要である場合の、図１のシステムの信号フロー図である。
【図４】本発明によるＴＶＭの報告を実装するための方法ステップを含む処理のフロー図である。
【発明を実施するための形態】
【０００９】
例として与えられ、ここで添付図面と共に理解されることになる好適な例の以下の記述から、本発明のより詳細な理解を得ることができる。
【００１０】
以降、専門用語「ＷＴＲＵ」は、ＵＥ（ユーザ設備：User Equipment）、移動局、固定または移動の加入者ユニット、ページャ、または無線環境において動作可能な他のあらゆるタイプの装置を含むが、それに限定しない。
【００１１】
以降、参照される際、専門用語「ノードＢ」は、基地局（base station）、サイト制御装置、アクセスポイント、または無線環境におけるあらゆるタイプの他のインタフェース装置を含むがそれに限定しない。
本発明は、一般にＵＭＴＳ、ＣＤＭＡ２０００、およびＣＤＭＡに適用されるように、さらに、ＴＤＤ、ＦＤＤ、およびＴＤ−ＳＣＤＭＡ（Time Division Synchronous Code Division Multiple Access）へ適用可能とすることができるが、他の無線システムにも同様に適用可能であると想定される。
【００１２】
本発明の特徴は、ＩＣに組み込まれてよく、または多数の相互接続コンポーネントを含む回路に構成されてもよい。
【００１３】
図１は、本発明によって動作する無線通信システム１００を示す。システム１００は、無線信号１１５を介して互いに通信するＷＴＲＵ１０５およびノード−Ｂ１１０を含む。ＷＴＲＵ１０５は少なくとも１つのバッファ１２０を含む。
【００１４】
図２は、最初のＥＵデータスケジューリングメッセージにより許可されたＥＵデータ送信が、ＷＴＲＵ１０５のバッファ１２０に格納されているすべてのＥＵデータを送信するのに十分でない場合の、無線通信システム１００の信号フロー図である。ＥＵデータ２０５は、ＷＴＲＵ１０５で生成され、ＷＴＲＵ１０５のバッファ１２０に格納される。バッファ１２０中のＥＵデータの量が、設定されたＥＵデータバッファ閾値を超える場合、ＷＴＲＵ１０５は、ＥＵシグナリングチャネルを介して初期ＴＶＭ情報要求メッセージ２１０をノード−Ｂ１１０へ送る。ＥＵシグナリングチャネルのペイロード容量が限られているため、詳細なＴＶＭ情報は、初期ＴＶＭ情報要求メッセージ２１０と共に含めることができないかもしれない。初期ＴＶＭ情報要求メッセージ２１０はただ、ＷＴＲＵ１０５が送信する準備ができているＥＵデータを有することを示してもよく、および／またはＥＵデータの量の概算値を含むことによって、ノード−Ｂ１１０へレート要求として機能してもよい。
【００１５】
さらに図２を参照して、初期ＴＶＭ情報要求メッセージ２１０を受信すると、ノード−Ｂ１１０は、最初のＥＵデータスケジューリングメッセージ２１５を介してＷＴＲＵ１０５およびノード−Ｂ１１０の間の１つまたは複数のＥＵ送信をスケジューリングする。最初のＥＵデータスケジューリングメッセージ２１５の受信に応答して、ＷＴＲＵ１０５は、最初のＥＵデータスケジューリングメッセージ２１５によって許可された１つまたは複数のＥＵ送信２２０を、ノード−Ｂ１１０に送信する。ノード−Ｂ１１０によりスケジューリングされたＥＵデータ送信が、ＷＴＲＵ１０５でバッファされているすべてのすべてのＥＵデータを送信するのに十分でない場合、ＷＴＲＵ１０５は、ＷＴＲＵ１０５でバッファされているデータの概算量を示す詳細なＴＶＭ情報を含むＥＵデータ送信２２０を送る。随意的に、詳細なＴＶＭ情報は、各関連トラフィック優先度クラス、またはＥＵ−ＤＣＨ（ＥＵ専用チャネル：ＥＵ Dedicated Channel）にマップされた論理チャネルに関連付けられたバッファされたデータの量を示してもよい。詳細なＴＶＭ情報は、レイヤ２またはレイヤ３にてＥＵデータと多重化してもよい。レイヤ２において、詳細なＴＶＭ情報は、ＥＵ−ＤＣＨのＭＡＣヘッダにおいて識別してもよく、そしてレイヤ３において、詳細なＴＶＭ情報は、ＲＲＣ（無線リソース管理：Radio Resource Control）または他の同等なレイヤ３シグナリングエンティティでシグナリングしてもよい。ＥＵデータ送信２２０は、いくつかの独立な物理的送信を含んでもよい。
【００１６】
ノードＢ１１０は、後続のアップリンクスケジューリングにおいて、ＥＵデータ送信２２０を介して報告されたＴＶＭ情報、および潜在的に関連付けられた優先度および／または論理チャネルについての包括的な知識を利用することができる。ＷＴＲＵ１０５が後に追加ＥＵデータを獲得すると、ＷＴＲＵ１０５は、更新されたＴＶＭ情報をノード−Ｂ１１０に報告することを選択してもよい。ノード−Ｂ１１０は次に、後続のＥＵデータスケジューリングメッセージ２２５ａ〜２２５ｎを介して、ＷＴＲＵ１０５からノード−Ｂ１１０への後続のＥＵデータ送信をスケジューリングする。
【００１７】
図３は、ＥＵデータスケジューリングメッセージにより許可された１つまたは複数のＥＵデータ送信が、ＷＴＲＵ１０５のバッファ１２０に格納されているすべてのＥＵデータを送信するのに十分な場合の、無線通信システム１００の信号フロー図である。ＥＵデータ３０５は、ＷＴＲＵ１０５で生成され、ＷＴＲＵ１０５のバッファ１２０に格納される。バッファ１２０内のＥＵデータの量が設定されたＥＵデータバッファ閾値を超える場合、ＷＴＲＵ１０５は、ＥＵシグナリングチャネルを介して初期ＴＶＭ情報要求メッセージ３１０をノード−Ｂ１１０へ送る。
【００１８】
設定されたＥＵデータバッファ閾値を超えない場合、ＷＴＲＵ１０５によって送られたＥＵデータ送信は、ノード−Ｂ１１０によってスケジューリングされる必要はない。
【００１９】
さらに図３を参照して、初期ＴＶＭ情報要求メッセージ３１０を受信すると、ノード−Ｂは、ＥＵデータスケジューリングメッセージ３１５を介して、ＷＴＲＵ１０５およびノード−Ｂ１１０の間の１つまたは複数のＥＵデータ送信をスケジューリングする。ＥＵデータスケジューリングメッセージ３１５の受信に応答して、ＷＴＲＵ１０５は、ＥＵデータスケジューリングメッセージ３１５により許可された１つまたは複数のＥＵデータ送信３２０を送る。ＥＵデータスケジューリングメッセージ３１５により許可されたＥＵ送信が、ＷＴＲＵ１０５でバッファされているすべてのＥＵデータを送信するのに十分な場合、ＷＴＲＵ１０５のバッファ１２０に格納されているすべてのＥＵデータはノード−Ｂに送られる。ＷＴＲＵ１０５は、ノード−Ｂ１１０に送るべき追加ＥＵデータはないことを承知しているため、追加のＴＶＭ報告は必要でない。
【００２０】
優先度クラスまたはＴＶＭに関連付けられた論理チャネル／ＭＡＣ−ｄフローに関連付けられたデータは、より正確なチャネル割り当て、および無線リソースのより効率的な使用のために、ノード−Ｂ１１０に格納してもよい。ノード−Ｂ１１０は、そのＴＶＭおよび関連優先度を利用して、ＷＴＲＵ１０５によって提供された追加のＴＶＭの詳細により、より高い精度で後続のＥＵデータのスケジューリングを構築する。
【００２１】
図４は本発明に従って、ＷＴＲＵ１０５からノード−Ｂ１１０にユーザデータを転送する方法ステップを含む処理４００のフロー図である。ステップ４０５において、ＥＵデータは、生成され、ＷＴＲＵ１０５のバッファ１２０に格納される。随意的ステップ４１０において、ＷＴＲＵ１０５のバッファ１２０に格納されているＥＵデータの量が設定されたＥＵデータバッファ閾値を超えるか否かに関して、決定がなされる。ＷＴＲＵ１０５のバッファ１２０内に格納されているＥＵデータの量が設定された閾値を超えない場合、ＥＵ送信はノード−Ｂのスケジューリングなしで許可され、格納されているすべてのＥＵデータはノード−Ｂ１１０に送信される（ステップ４３０）。格納されているＥＵデータの量が設定された閾値を超える場合、ＷＴＲＵ１０５は、ＷＴＲＵ１０５がノード−Ｂ１１０に送るべきＥＵデータを有することを示す、初期ＴＶＭ情報要求メッセージをノード−Ｂ１１０に送る（ステップ４１５）。
【００２２】
設定されたＥＵデータバッファ閾値をゼロに設定してもよいことに留意するべきである。この場合には、ＷＴＲＵ１０５のバッファ１２０内の任意の量のＥＵデータの格納により、初期ＴＶＭ情報要求メッセージ２１０の送信が常にトリガされることになる。
【００２３】
さらに図４を参照して、ステップ４２０において、ノード−Ｂ１１０は、許可された１つまたは複数のＥＵデータ送信の情報を含む、ＥＵデータスケジューリングメッセージをＷＴＲＵ１０５に送り、ＷＴＲＵ１０５でバッファされているＥＵデータのノード−Ｂ１１０への送信をスケジューリングする。ステップ４２５において、ＷＴＲＵ１０５は、許可されたＥＵデータ送信がバッファされているすべてのＥＵデータを送信するのに十分であるかを決定する。現在のスケジューリング情報により許可されたＥＵデータ送信が、バッファ１２０に格納されているすべてのＥＵデータの送信を支援するのに十分ならば、ＷＴＲＵ１０５にバッファされているすべてのＥＵデータは、許可されたＥＵデータ送信においてノード−Ｂ１１０に送信される（ステップ４３０）。
【００２４】
現在のスケジューリング情報により許可されたＥＵデータ送信が、ＷＴＲＵ１０５にバッファされているすべてのＥＵデータを送信するのに十分でないならば、ＷＴＲＵ１０５は、格納されているＥＵデータの一部と多重化された詳細なＴＶＭ情報を含む１つまたは複数のＥＵデータ送信を、ノード−Ｂ１１０に送信する（ステップ４３５）。ステップ４４０において、ＷＴＲＵ１０５にバッファされたＥＵデータが無くなるまで、ノード−Ｂ１１０は、１つまたは複数の追加ＥＵデータ送信をスケジューリングし、送信する。
【００２５】
本発明が、好適な実施形態を参照して特に示され、記述されてきたが、上記に記述された本発明の範囲から逸脱することなく、形式および詳細において様々な変更がなされうることは、当業者によって理解されるであろう。        
【図１】
0005441957.tif 000002
【図２】
0005441957.tif 000003
【図３】
0005441957.tif 000004
【図４】
0005441957.tif 000005